(57)【要約】【課題】液晶表示パネル用基板の製造工程を少なくすることにより、生産性を向上させるとともに、異物の混入のおそれを減少させて良好な液晶表示パネル用基板を製造する。【解決手段】透明基板２の表面における反射領域６に反射膜５を形成すると同時に、透明基板２における各ドット３の境界部分に反射膜５の構成材料と同一の材料によって遮光膜１０を形成し、各ドット３のうち所定の各ドット３の配置位置にブルーのカラーフィルタ１１Ｂを形成すると同時に、各ドット２の境界部分にブルーの各カラーフィルタ１１Ｂの構成材料と同一の材料によって吸収膜１２ａ，１２ｂを形成する。【選択図】            図１
2004317619.tif 000002
【特許請求の範囲】
【請求項１】
基板の視認側の面における所定の部分に反射膜を形成し、
前記基板における各ドットの境界部分に前記反射膜の構成材料と同一の材料によって遮光膜を形成し、
前記各ドットのうち所定の各ドットの配置位置にブルーのカラーフィルタを形成し、
前記遮光膜の上に前記ブルーのカラーフィルタからなる吸収膜を形成し、
前記各ドットのうち所定の各ドットの配置位置にレッドまたはグリーンのカラーフィルタをそれぞれ形成することを特徴とする液晶表示パネル用基板の製造方法。
【請求項２】
前記遮光膜の上に前記レッドまたは前記グリーンの少なくとも一方の各カラーフィルタを積層して前記吸収膜を形成する請求項１に記載の液晶表示パネル用基板の製造方法。
【請求項３】
基板の視認側の面における所定の部分に反射膜が配設され、前記基板における各ドットの境界部分に前記反射膜の構成材料と同一の材料によって構成された遮光膜が配設されており、
前記各ドットのうち所定の各ドットの配置位置にブルーのカラーフィルタが配設され、前記遮光膜の上に前記ブルーのカラーフィルタからなる吸収膜が配設されており、
前記各ドットのうち所定の各ドットの配置位置にレッドまたはグリーンのカラーフィルタがそれぞれ配設されていることを特徴とする液晶表示パネル用基板。
【請求項４】
前記吸収膜がブルーのカラーフィルタと前記レッドまたは前記グリーンの少なくとも一方の各カラーフィルタとの積層体である請求項３に記載の液晶表示パネル用基板。
【発明の詳細な説明】
【０００１】
【発明の属する技術分野】
本発明は液晶表示パネル用基板の製造方法および液晶表示パネル用基板に係り、特に外光を利用してカラー表示を行う反射型または半透過反射型の液晶表示パネルに用いられる液晶表示パネル用基板の製造方法および液晶表示パネル用基板に関する。
【０００２】
【従来の技術】
一般に、特定の図形や文字等の情報を表示するための液晶表示装置がコンピュータや携帯電話等の表示装置として多く用いられており、この液晶表示装置には、中間に液晶を充填した一対の透明基板の所定の部分に選択的に電圧を加えて特定の図形や文字等の情報を表示するための液晶表示パネルが内蔵されている。
【０００３】
このような液晶表示パネルとして、近年、消費電力を節約する等の理由により、外光を反射させて表示を行う反射型または半透過反射型の液晶表示パネルが多用されている。
【０００４】
前記半透過反射型の液晶表示パネルは、各１ドット内のそれぞれに外光を反射するための反射領域と前記液晶表示パネルの反視認側からの照射光を透過するための透過領域とを有している。ここで、１ドットとは、１画素中における各１色単位の範囲をいい、カラー表示を行う液晶表示パネルにおいては、カラー画像を形成する１画素中におけるレッド（Ｒ）、グリーン（Ｇ）、ブルー（Ｂ）の各１色単位の範囲をいう。
【０００５】
この半透過反射型の液晶表示パネルは、一対の透明基板を有し、前記各透明基板のうち反視認側の透明基板の視認側における前記各反射領域に相当する位置には、金属薄膜等からなる反射膜が配設されている。また、前記反射膜および前記透明基板の視認側の面における隣接する前記各ドットの境界部分には、感光性樹脂材料等からなるブラックマスク膜が配設されている。さらに、前記ブラックマスク膜、前記反射膜および前記透明基板の視認側の面には、前記各ドットに対応するようにＲ、Ｇ、Ｂの各カラーフィルタが配設されており、前記各カラーフィルタにおける視認側の面には、平滑化層が順次配設されている。また、前記平滑化層における視認側の面には、複数の透明電極および配向膜が順次配設されて液晶表示パネル用基板を構成するようになっている。
【０００６】
また、前記一対の透明基板のうち視認側の透明基板における反視認側の面には、複数の透明電極および配向膜が順次配設されて液晶表示パネル用基板を構成している。
【０００７】
さらに、前記各液晶表示パネル用基板は、前記各液晶表示パネル用基板の周辺部に配置されたシール材を介して一体に形成され、このシール材の内部には、液晶および複数のスペーサが封入されて液晶表示パネルを構成している。
【０００８】
そして、前記半透過反射型の液晶表示パネルにおいて外光を反射させてカラー表示を行う場合には、前記外光を各反射領域における反射膜において反射させた後、カラーフィルタ等を透過させた光を液晶表示パネルから出射させることにより、所望の表示を行っている。このとき、例えば液晶表示パネルの視認側からＲのカラーフィルタを透過して反射膜において反射された光がＲのカラーフィルタからＧのカラーフィルタを介して液晶表示パネルの視認側に出射されると、ＲとＧの色彩が混合して表示されてしまい、所望の色彩の表示を行うことができない。そこで、前記液晶表示パネルは、複数の各カラーフィルタを透過する光を各ドットの境界部分に配設されたブラックマスク膜によって吸収させることにより、色彩が混合してしまうのを防止して所望の色彩のカラー表示を行っていた。
【０００９】
【発明が解決しようとする課題】
しかし、前述の液晶表示パネルにおいては、反視認側の液晶表示パネル用基板を製造する際、反視認側の透明基板における視認側の面に、反射膜、ブラックマスク膜、各カラーフィルタの各膜を順次感光性樹脂材料等を塗布し、フォトマスクを介して露光し現像して不要な部分を除去した後ポストベークする工程を経なければならず、同じ工程を複数回繰り返して各膜を成膜しなければならなかった。このため、このような繰り返しの工程においてゴミや塵等の異物が混入してしまうおそれが多く、また同じ工程を繰り返し行うので時間がかかり、生産性が悪いという問題を有していた。
【００１０】
本発明はこれらの点に鑑みてなされたものであり、生産性を向上させるとともに、異物の混入のおそれも減少させることができる液晶表示パネル用基板の製造方法および液晶表示パネル用基板を提供することを目的とする。
【００１１】
【課題を解決するための手段】
前記目的を達成するため、請求項１に記載の発明に係る液晶表示パネル用基板の製造方法は、基板の視認側の面における所定の部分に反射膜を形成し、前記基板における各ドットの境界部分に前記反射膜の構成材料と同一の材料によって遮光膜を形成し、前記各ドットのうち所定の各ドットの配置位置にＢのカラーフィルタを形成し、前記遮光膜の上に前記Ｂのカラーフィルタからなる吸収膜を形成し、前記各ドットのうち所定の各ドットの配置位置にＲまたはＧのカラーフィルタをそれぞれ形成することを特徴とする。
【００１２】
ここで、反射膜を形成する所定の部分とは、この液晶表示パネル用基板が半透過反射型の液晶表示パネルに用いられる場合には基板における各反射領域をいい、反射型の液晶表示パネルに用いられる場合には、基板における一面の全体をいう。
【００１３】
この請求項１に記載の発明によれば、遮光膜を反射膜と同じ工程において形成することができるとともに、吸収膜をＢの各カラーフィルタと同じ工程において形成することができるので、遮光膜および吸収膜としてブラックマスクを形成する工程を省略でき、これにより、液晶表示パネル用基板の製造工程を少なくすることができる。
【００１４】
また、請求項２に記載の発明に係る液晶表示パネル用基板の製造方法は、前記遮光膜の上に前記Ｒまたは前記Ｇの少なくとも一方の各カラーフィルタを積層して前記吸収膜を形成することを特徴とする。
【００１５】
この請求項２に記載の発明によれば、吸収膜をＢおよびＲまたはＧの少なくとも一方のカラーフィルタによって構成しているので、吸収膜における光の吸収率をより高めて複数のカラーフィルタを透過する光の色彩が混合してしまうのをより防止することができる。
【００１６】
また、請求項３に記載の発明に係る液晶表示パネル用基板は、基板の視認側の面における所定の部分に反射膜が配設され、前記基板における各ドットの境界部分に前記反射膜の構成材料と同一の材料によって構成された遮光膜が配設されており、前記各ドットのうち所定の各ドットの配置位置にＢのカラーフィルタが配設され、前記遮光膜の上に前記Ｂのカラーフィルタからなる吸収膜が配設されており、前記各ドットのうち所定の各ドットの配置位置にＲまたはＧのカラーフィルタがそれぞれ配設されていることを特徴とする。
【００１７】
この請求項３に記載の発明によれば、遮光膜を反射膜と同じ工程において形成することができるとともに、吸収膜をＢの各カラーフィルタと同じ工程において形成することができるので、遮光膜および吸収膜としてブラックマスクを形成する工程を省略でき、これにより、液晶表示パネル用基板の製造工程を少なくすることができる。
【００１８】
さらに、請求項４に記載の発明に係る液晶表示パネル用基板は、前記吸収膜が前記Ｂのカラーフィルタと前記Ｒまたは前記Ｇの少なくとも一方の各カラーフィルタとの積層体であることを特徴とする。
【００１９】
この請求項４に記載の発明によれば、吸収膜をＢおよびＲまたはＧの少なくとも一方のカラーフィルタによって構成しているので、吸収膜における光の吸収率をより高めて複数のカラーフィルタを透過する光の色彩が混合してしまうのをより防止することができる。
【００２０】
【発明の実施の形態】
以下、本発明にかかる液晶表示パネル用基板の実施形態を図１から図３を参照して説明する。ここで、本実施形態においては、半透過反射型の液晶表示パネルに用いられる液晶表示パネル用基板について説明し、液晶表示パネルにおける視認側を表側とする。
【００２１】
図１は、本実施形態に係る液晶表示パネル用基板の要部を示す平面図であり、図２は、図１の液晶表示パネル用基板を示すＡ−Ａにおける断面図であり、図３は、図１の液晶表示パネル用基板を示すＢ−Ｂにおける断面図である。
【００２２】
図１、図２および図３に示すように、本液晶表示パネル用基板１は、ガラス等からなる透明基板２を有し、前記透明基板２の表面における各ドット３の両側辺部分には、隣接する前記各ドット３の境界を跨ぐように金属薄膜からなる反射膜５が配設されて、外光を反射する各反射領域６とされている。また、前記各ドット３内における各反射領域６の間には開口部７が形成されて、前記半透過反射型の液晶表示パネルにおける裏側からの照射光を透過する各透過領域８とされている。
【００２３】
また、前記各ドット３の両端部分であって隣接する各ドット３との境界部分には、前記反射膜５を構成する金属薄膜と同じ構成材料からなる遮光膜１０が配設されており、この遮光膜１０は、前記液晶表示パネル用基板１が用いられる半透過反射型の液晶表示パネルにおける裏側からの照射光を遮光するようになっている。
【００２４】
これにより、前記反射膜５および前記遮光膜１０を構成する金属薄膜は、平面形状が格子状に一体に形成されている。
【００２５】
さらに、反射膜５における反射領域６の表面および前記透明基板２における各透過領域８の表面には、前記各１ドット３につき１色のＲ、Ｇ、Ｂのカラーフィルタ１１Ｒ，１１Ｇ，１１Ｂが配設されている。
【００２６】
さらにまた、前記遮光膜１０の表面には、前記Ｂのカラーフィルタ１１Ｂが配設されるとともに、前記各ドット３の両側辺部分であって隣接する前記各ドット３の境界部分には、前記Ｂのカラーフィルタ１１Ｂ、Ｒのカラーフィルタ１１ＲおよびＧのカラーフィルタ１１Ｇが順次積層して配設されて、カラーフィルタの積層体である吸収膜１２が形成されている。ここで、Ｂのカラーフィルタ１１ＢはＲやＧのカラーフィルタ１１Ｒ，１１Ｇと比較して光の吸収率が高く、さらに、前記Ｂのカラーフィルタ１１Ｂの表面にＲおよびＧのカラーフィルタ１１Ｒ，１１Ｇが積層されているので一層吸収膜１２における光の吸収率が高くなる。そして、この吸収膜１２は、前記反射膜５に反射されまたは前記各開口部７を透過して、例えば各１ドット３内におけるＲのカラーフィルタ１１Ｒを透過することにより着色された光が、隣接するドットのＧのカラーフィルタ１１Ｇに到達して前記Ｇのカラーフィルタ１１Ｇを透過する前に前記Ｒのカラーフィルタ１１Ｒにおける着色を吸収する機能を果たすようになっている。
【００２７】
また、前記各カラーフィルタ１１Ｒ，１１Ｇ，１１Ｂおよび各吸収膜１２の表面には、平滑化層１４が配設されており、前記平滑化層１４の表面には、図示しない複数の透明電極および配向膜が順次配設され、これにより液晶表示パネル用基板１は構成されて、前記半透過反射型の液晶表示パネルにおける裏側の液晶表示パネル用基板１とされている。
【００２８】
さらに、前記半透過反射型の液晶表示パネルに用いられる他方の液晶表示パネル用基板（図示せず）は、ガラス等からなる透明基板の裏面に複数の透明電極および配向膜が順次配設されて構成されており、これにより前記半透過反射型の液晶表示パネルにおける表側の液晶表示パネル用基板とされている。そして、前記各液晶表示パネル用基板の対向する面における周辺部分には、シール材（図示せず）が配置され一体に形成されており、前記シール材の内部には、図示しない液晶および複数のスペーサが封入されて、半透過反射型の液晶表示パネルを構成している。
【００２９】
次に、本実施形態に係る液晶表示パネル用基板１の製造方法について説明する。
【００３０】
まず、透明基板２の表面に、スパッタリング法等により金属薄膜を成膜し、前記金属薄膜の表面にレジストを塗布する。次に、フォトマスクを用いて前記レジストを露光、現像、ポストベークし、各透過領域８の部分の金属薄膜をエッチングして各開口部７を形成する。その後、残っているレジストを除去して、各反射領域６の部分に反射膜５を形成するとともに、隣接する各ドット３の境界部分であって各ドット３の両端部分に遮光膜１０を前記反射膜５と同時に一体に形成する。
【００３１】
続いて、前記反射膜５および前記透明基板２の表面に、Ｂの感光性樹脂を塗布し、フォトリソ法を用いて所定の前記各ドット３の配置位置および全ての前記各ドット３の境界部分にＢのカラーフィルタ１１Ｂを形成する。
【００３２】
さらに、前記反射膜５および前記透明基板２の表面にＲの感光性樹脂を塗布し、フォトリソ法を用いて所定の前記各ドット３の配置位置にＲのカラーフィルタ１１Ｒをそれぞれ形成するとともに、前記Ｂのカラーフィルタ１１Ｂの表面であって前記各ドット３における両側辺の境界部分にＲのカラーフィルタ１１Ｒを形成する。さらにまた、同様の工程によってＧのカラーフィルタ１１Ｇをそれぞれ所定の前記各ドット３の配置位置に形成するとともに、前記Ｒのカラーフィルタ１１Ｒの表面であって前記各ドット３における両側辺の境界部分にＧのカラーフィルタ１１Ｇを形成する。これにより、前記各ドット３の上下方向（図１参照）おける境界部分に形成されたＢの各カラーフィルタ１１Ｂを第１吸収膜１２ａとし、また前記各ドット３の左右方向（図１参照）における境界部分に形成されたＢ，Ｒ，Ｇの各カラーフィルタ１１Ｂ，１１Ｒ，１１Ｇの積層体を第２吸収膜１２ｂとする。
【００３３】
そして、前記各Ｒ、Ｇ、Ｂのカラーフィルタ１１Ｒ，１１Ｇ，１１Ｂの表面に平滑化層１４を形成し、その後、前記平滑化層１４の表面に複数の透明電極および配向膜を順次形成して、半透過反射型の液晶表示パネルにおける裏側の液晶表示パネル用基板１を形成する。
【００３４】
本実施形態によれば、遮光膜１０を反射膜５と同じ工程において形成することができるとともに、第１吸収膜１２ａ、第２吸収膜１２ｂをＢ、Ｒ、Ｇの各カラーフィルタ１１Ｒ，１１Ｇ，１１Ｂと同じ工程において形成することができるので、ブラックマスクを形成する工程を省略でき、これにより、液晶表示パネル用基板１の製造工程を少なくすることができる。
【００３５】
したがって、液晶表示パネル用基板１の生産性を向上させることができるとともに、ブラックマスクを形成する工程を省略することにより異物の混入の機会を減少させて良好な液晶表示パネル用基板１を製造することができる。
【００３６】
また、本実施形態においては、第２吸収膜１２ｂをＢ、Ｒ、Ｇのカラーフィルタ１１Ｂ，１１Ｒ，１１Ｇによって構成しているので、第２吸収膜１２ｂにおける光の吸収率をより高めて複数のカラーフィルタ１１Ｒ，１１Ｇ，１１Ｂを透過する光の混色を防止することができ、この結果、前記液晶表示パネル用基板１を用いた液晶表示パネルは、良好なカラー表示を行うことができる。
【００３７】
なお、本発明は前記実施形態に限定されるものではなく、必要に応じて種々変更することが可能である。
【００３８】
例えば、各１ドット３内における反射領域６および透過領域８の配置位置は、本実施形態における配置位置に限定されるものではない。
【００３９】
また、液晶表示パネル用基板１に第１吸収膜１２ａと積層体である第２吸収膜１２ｂとを混在させたが、第１吸収膜１２ａだけを配設してもよいし、第２吸収膜１２ｂだけを配設してもよい。さらに、第２吸収膜１２ｂとしてのＢとＧの２層体でもよい。２層体とする場合、透過率の低いカラーフィルタを選定する方がよい。
【００４０】
また、本実施形態においては、半透過反射型の液晶表示パネルに用いられる液晶表示パネル用基板について説明したが、これに限定されず、反射型の液晶表示パネルに用いられるものであってもよい。この反射型の液晶表示パネルの場合には、反射膜は透明基板の表面全体に配設される。
【００４１】
【発明の効果】
以上述べたように、請求項１に記載の発明に係る液晶表示パネル用基板の製造方法によれば、液晶表示パネル用基板の製造工程を少なくすることができるので、液晶表示パネル用基板の生産性を向上させることができるとともに、ブラックマスクを形成する工程を省略することにより異物の混入の機会を減少させて良好な液晶表示パネル用基板を製造することができる。
【００４２】
また、請求項２に記載の発明に係る液晶表示パネル用基板の製造方法によれば、吸収膜をＢ、およびＲまたはＧの少なくとも一方の各カラーフィルタによって構成しているので、吸収膜における光の吸収率をより高めて複数のカラーフィルタを透過する光の色彩が混合してしまうのを防止することができ、この結果、液晶表示パネル用基板を用いた液晶表示パネルは、良好なカラー表示を行うことができる。
【００４３】
さらに、請求項３に記載の発明に係る液晶表示パネル用基板によれば、液晶表示パネル用基板の製造工程を少なくすることができるので、液晶表示パネル用基板の生産性を向上させることができるとともに、ブラックマスクを形成する工程を省略することにより異物の混入の機会を減少させて良好な液晶表示パネル用基板を製造することができる。
【００４４】
さらにまた、請求項４に記載の発明に係る液晶表示パネル用基板によれば、吸収膜をＢ、およびＲまたはＧの少なくとも一方の各カラーフィルタによって構成しているので、吸収膜における光の吸収率をより高めて複数のカラーフィルタを透過する光の色彩が混合してしまうのを防止することができ、この結果、液晶表示パネル用基板を用いた液晶表示パネルは、良好なカラー表示を行うことができる。
【図面の簡単な説明】
【図１】本発明に係る液晶表示パネル用基板の要部を示す平面図
【図２】図１の液晶表示パネル用基板を示すＡ−Ａにおける断面図
【図３】図１の液晶表示パネル用基板を示すＢ−Ｂにおける断面図
【符号の説明】
１  液晶表示パネル用基板
２  透明基板
３  ドット
５  反射膜
６  反射領域
７  開口部
８  透過領域
１０  遮光膜
１１Ｂ  Ｂのカラーフィルタ
１１Ｒ  Ｒのカラーフィルタ
１１Ｇ  Ｇのカラーフィルタ
１２ａ，１２ｂ  吸収膜
１４  平滑化層
【図１】
2004317619.tif 000003
【図２】
2004317619.tif 000004
【図３】
2004317619.tif 000005